(57)【要約】      （修正有）【課題】別個の固定物を用いることなく身体の各部位間の相対的な位置関係を拘束できる身体拘束具を提供する。【解決手段】身体の異なる部位に個々に装着される複数の拘束帯１と、拘束帯を選択的に連結する連結具３とによって構成されている。身体の各部位に装着される複数の拘束帯を選択的に連結することにより、身体の各部位の間の位置関係を拘束することができるとともに、連結する各部位の組み合わせを多様化して、身体を多様な拘束姿勢に保持することができる。【選択図】図１
0003209021.tif 000002
【実用新案登録請求の範囲】
【請求項１】
身体の異なる部位に個々に装着される複数の拘束帯と、これらの拘束帯を選択的に連結する連結具とによって構成されていることを特徴とする身体拘束具。
【請求項２】
前記拘束帯が、手枷、腕枷、足枷、股枷、および、首枷であることを特徴とする請求項１に記載の身体拘束具。
【請求項３】
前記連結具が、前記各拘束帯に取り付けられた連結帯と、この連結帯の自由端部に装着されたバックルとによって構成されていることを特徴とする請求項１または請求項２に記載の身体拘束具。
【請求項４】
前記連結具が、前記各拘束帯に取り付けられた連結帯と、この連結帯の自由端部に装着されたバックルと、異なる拘束帯のバックル間を連結する補助連結帯によって構成されていることを特徴とする請求項１ないし請求項３の何れかに記載の身体拘束具。
【考案の詳細な説明】
【技術分野】
【０００１】
本考案は、身体を任意の姿勢に固定してその動きを拘束する身体拘束具に関するものである。
【背景技術】
【０００２】
従来、施術や遊戯等を目的として、たとえば身体の手足を胴部に対して任意の姿勢に固定することが行なわれている。
【０００３】
そして、前述した固定を行なうために身体拘束具が用いられており、その一従来例が、たとえば、特許文献１において示されている。
【０００４】
この身体拘束具は、身体の腕や足に拘束帯を巻き付け、この拘束帯を、衣服や椅子等の固定物へ個別に止着することにより、手足の動きを拘束して、これらの手足が体や顔に触れることを防止するようにしたものである。
【先行技術文献】
【特許文献】
【０００５】
【特許文献１】特開２０００−３３３９８０号公報
【考案の概要】
【考案が解決しようとする課題】
【０００６】
ところで、前述した従来の技術では、各拘束帯を固定物へ個別に固定するようにしているが、このために、固定物がなければ前述した拘束機能は得られず、また、固定物に対する身体の各部位の動きを拘束することはできるものの、身体の各部位間の位置関係までは拘束することができない。
【０００７】
本考案は、前述した従来の技術において残されている問題点を解決せんとしてなされたもので、身体と別個の固定物を用いることなく身体の各部位間の相対的な位置関係を拘束できる身体拘束具を提供することを課題とする。
【課題を解決するための手段】
【０００８】
本考案の身体拘束具は、前述した課題を解決するために、身体の異なる部位に個々に装着される複数の拘束帯と、これらの拘束帯を選択的に連結する連結具とによって構成されていることを特徴とする。
【０００９】
このように構成された本考案の身体拘束具は、前記拘束帯を身体の各部位に装着し、これらの拘束帯を連結具によって選択的に連結することにより、身体の各部位間を連結する。
【００１０】
これによって、前記各部位間を目的とする位置関係に保持して、身体を目的とする姿勢に保持することができる。
【００１１】
ここで、前記拘束帯を固定物に固定することなく身体の拘束を行なうことができ、かつ、連結する拘束具の組み合わせを自由に変えることができるので、身体の拘束形態を自由に設定することができる。
【００１２】
そして、前記拘束帯は、手枷、腕枷、足枷、股枷、および、首枷によって構成することが好ましい。
【００１３】
このような構成とすることにより、たとえば、前記首枷を主とし、この首枷に他の前記手枷や腕枷を連結すれば、両手を首回りに拘束することができる。
【００１４】
また、前記首枷に前記足枷を、身体の前で連結すれば、身体を屈曲させた状態に拘束し、身体の後ろで連結すれば、身体をブリッジ状に拘束することができる。
【００１５】
また、身体の前方において前記首枷と前記股枷を連結すれば、脚を胸元に抱え込むような姿勢に拘束することができる。
【００１６】
また、前記手枷を前記腕枷に連結すれば、腕を折り畳んだ状態に保持することができ、前記手枷や腕枷を前記足枷や股枷に連結することによっても前述した屈曲した状態とすることができる。
【００１７】
このように、各拘束帯の連結形態を自由に選択することができ、したがって、身体の多様な拘束姿勢を実現することができる。
【００１８】
一方、身体から独立した固定物を利用することができる状況下にあっては、前記各拘束帯を前記固定物に連結して利用することも可能であり、たとえば、前記股枷を前記固定物に連結することによって、身体を開脚状態で拘束することもできる。
【００１９】
前記連結具は、前記各拘束帯に取り付けられた連結帯と、この連結帯の自由端部に装着されたバックルとによって構成することが好ましい。
【００２０】
このような構成とすることにより、前記各拘束帯のバックル同士を連結することによって各拘束帯を連結し、かつ、前記バックルの連結を解除することによって前記各拘束帯の連結を解除することができるので、その連結操作や解除操作が容易なものとなる。
【００２１】
また、前記連結具を、前記各拘束帯に取り付けられた連結帯と、この連結帯の自由端部に装着されたバックルと、異なる拘束帯のバックル間を連結する補助連結帯によって構成することができる。
【００２２】
このような構成とすることにより、連結される前記複数の拘束帯間の距離を、前記補助連結帯によって調整することができる。
したがって、前記連結された拘束帯が装着されている身体の各部位間の距離を調整して、身体の拘束姿勢を調整することができる。
【考案の効果】
【００２３】
本考案の身体拘束具によれば、身体の各部位に装着される複数の拘束帯を選択的に連結することにより、前記身体の各部位の間の位置関係を拘束することができるとともに、連結する各部位の組み合わせを多様化して、身体を多様な拘束姿勢に保持することができる。
【図面の簡単な説明】
【００２４】
【図１】本考案の一実施形態を示すもので、拘束帯としての手枷、腕枷、若しくは、足枷を示す斜視図である。
【図２】本考案の一実施形態を示すもので、図１の拘束具を展開した状態を示す斜視図である。
【図３】本考案の一実施形態を示すもので、拘束帯としての首枷を示す斜視図である。
【図４】本考案の一実施形態を示すもので、拘束帯としての股枷を示す斜視図である。
【図５】本考案の一実施形態を示すもので、拘束帯間に装着される補助連結帯を示す平面図である。
【図６】本考案の一実施形態を示すもので、拘束帯間に装着される補助連結帯を示す平面図である。
【図７】本考案の一実施形態を示すもので、拘束帯間に装着される補助連結帯を示す平面図である。
【図８】本考案の一実施形態を示すもので、連結の組み合わせの一例を示す斜視図である。
【考案を実施するための形態】
【００２５】
以下、本考案の一実施形態を図１ないし図５を参照して説明する。
図１および図２は、本実施形態の身体拘束具Ａの一部を構成する第１の拘束帯１を示す。
【００２６】
この第１の拘束帯１は、身体の手首や腕、あるいは、足首等に装着される手枷、腕枷、あるいは、足枷として用いられるものである。
【００２７】
この第１の拘束帯１は、帯状の基体１ａの両端部を、図２に示す面ファスナー２によって環状に連結されるもので、前記基体１ａを身体の手首や腕、あるいは、足首に巻き付けた後に、その両端部を前記面ファスナー２によって連結することにより、前記手首や腕、あるいは、足首に装着されるようになっている。
【００２８】
また、前記基体１ａの長さ方向の略中間部には、他の拘束帯との連結をなす連結具３が取り付けられている。
【００２９】
この連結具３は、前記基体１ａに止着された連結帯３ａと、この連結帯３ａの自由端部に取り付けられたバックル３ｂとによって構成されており、本実施形態においては、前記バックル３ｂを雄型のバックルとして示してある。
【００３０】
そして、前記基体１ａの長さを変えることによって、手枷や腕枷、あるいは、足枷とするようになっている。
【００３１】
図３は、本実施形態の身体拘束具Ａの一部を構成する第２の拘束帯５を示す。
【００３２】
この第２の拘束帯５は、身体の首に装着される首枷として用いられるものであり、前記第１の拘束帯１とほぼ同様の構成を有し、前記第１の拘束帯１の基体１ａよりも若干長い帯状の基体５ａと、この基体５ａを環状に連結する面ファスナー６と、前記基体５ａにその長さ方向に間隔をおいて取り付けられた一対の連結具７とによって構成されている。
【００３３】
前記各連結具７は、前記第１の拘束帯１の前記連結具３と同様で、前記基体５ａに止着された連結帯７ａと、この連結帯７ａの自由端部に取り付けられた雄型のバックル７ｂとによって構成されている。
【００３４】
図４は、本実施形態の身体拘束具Ａの一部を構成する第３の拘束帯１０を示す。
この第３の拘束帯１０は、身体の大腿に装着される股枷として用いられる。
【００３５】
この第３の拘束帯１０は、前記身体の大腿を取り囲むように装着される長尺なパット１１と、このパット１１にその長さ方向に相対動可能に装着された連結具１２とによって構成されている。
【００３６】
前記連結具１２は、前記パット１１に摺動可能に挿通された長尺な連結帯１２ａと、この連結帯１２ａの両端部に取り付けられた雄型のバックル１２ｂとによって構成されている。
【００３７】
また、図５ないし図７は前述した各拘束帯１、５、１０の前記各連結具３、７、１２間を連結する補助連結帯を示す。
【００３８】
図５に示す補助連結帯１５は、長尺な連結帯１５ａと、この連結帯１５ａの一端部に装着された雄型のバックル１５ｂと、他端部に装着された雌型のバックル１５ｃとによって構成されている。
【００３９】
また、前記連結帯１５ａの一端部近傍には、この連結帯１５ａの長さを調整するための長さ調整リング１５ｄが装着されている。
【００４０】
図６に示す補助連結帯２０は、短めの連結帯２０ａの両端部に雌型のバックル２０ｂを装着したものである。
【００４１】
さらに、図７に示す補助連結帯２５は、中央部に配置された金属製の支持リング２５ａと、この支持リング２５ａに放射状に装着された４個の連結帯２５ｂと、これらの連結帯２５ｂのそれぞれの端部に装着された雄型のバックル２５ｃとによって構成されている。
【００４２】
ここで、前述したバックルは、使用形態（身体の拘束姿勢）に応じて、雌型や雄型の何れかを予め任意に選択して装着するものである。
【００４３】
このように構成された本実施形態の身体拘束具Ａは、前記複数の拘束帯１、５、１０を身体の任意の部位に装着し、これらの拘束帯１、５、１０を選択的に連結し、また、その連結を身体の前後において選択することによって、身体を多様な姿勢に拘束することができる。
【００４４】
その一例を図８によって説明すれば、前記第２の拘束帯５を首枷として用い、前記第１の拘束帯１を手枷若しくは腕枷として用い、それぞれの拘束帯５、１を、その面ファスナー６、２によって大きさを調整しつつ身体の首、手首若しくは腕に装着する。
【００４５】
そして、前記首枷として用いた第２の拘束帯５に、手枷もしくは腕枷として用いた第１の拘束帯１を連結することにより、両腕を首回りに固定することができる。
【００４６】
一方、本実施形態においては、前記第１および第２の拘束帯１、５に装着されている前記連結具３、７には、雄型のバックル３ｂ、７ｂが装着されていることから、両者を直接連結することができない。
【００４７】
この場合には、両端に雌型のバックル２０ｂが装着された前記補助連結帯２０を用いることによって連結が可能となる。
【００４８】
さらに、前述した連結に際して、長尺な補助連結帯１５を介在させることにより、前記首枷と前記手枷もしくは腕枷との距離を調整することができる。
これによって、身体の首と腕との位置関係を調整して、身体の拘束姿勢を調整することができる。
【００４９】
また、前記第１の拘束帯１を足枷として用い、この足枷を、前記首枷に身体の前で連結すれば、身体を屈曲させた状態に拘束し、身体の後ろで連結すれば、身体をブリッジ状に拘束することができる。
【００５０】
また、前記第３の拘束帯１０を両股に装着し、これらの第３の拘束帯１０を、首に装着した前記第２の拘束帯５に身体の前方において連結すれば、脚を胸元に抱え込むような姿勢に拘束することができる。
【００５１】
あるいは、前記第３の拘束帯１０を、身体の後ろに引き回した長尺な前記補助連結帯１５を用いて前記第２の拘束帯５に連結することにより、身体を開脚姿勢に拘束することができる。
【００５２】
このように、本考案の身体拘束具Ａによれば、複数の拘束帯１、５、１０を選択的に連結することにより、身体の各部位間の位置関係を固定して、この身体を種々の姿勢に拘束することができる。
【００５３】
そして、前述したように、身体の姿勢の拘束を、固定物を用いることなく行なうことができるので、拘束姿勢が前記固定物によって制限されることがない。
もちろん、固定物を併用して身体の拘束を行なうことも可能である。
【００５４】
なお、前記実施形態において示した各構成部材の諸形状や寸法等は一例であって、身体拘束具の使用目的等に基づき種々変更可能である。
【符号の説明】
【００５５】
１  第１の拘束帯
１ａ  基体
２  面ファスナー
３  連結具
３ａ  連結帯
３ｂ  バックル
５  第２の拘束帯
５ａ  基体
６  面ファスナー
７  連結具
７ａ  連結帯
７ｂ  バックル
１０  第３の拘束帯
１１  パット
１２  連結具
１２ａ  連結帯
１２ｂ  バックル
１５  補助連結帯
１５ａ  連結帯
１５ｂ  バックル
１５ｃ  バックル
１５ｄ  長さ調整リング
２０  補助連結帯
２０ａ  連結帯
２０ｂ  バックル
２５補助連結帯
２５ａ  支持リング
２５ｂ  連結帯
２５ｃ  バックル
Ａ  身体拘束具
【図１】
0003209021.tif 000003
【図２】
0003209021.tif 000004
【図３】
0003209021.tif 000005
【図４】
0003209021.tif 000006
【図５】
0003209021.tif 000007
【図６】
0003209021.tif 000008
【図７】
0003209021.tif 000009
【図８】
0003209021.tif 000010